(57)【要約】 対象の体内の温度を非侵襲的に監視するシステムは、変換器およびインターフェース・コンポーネントを含む。変換器は、電磁信号である自然温度信号を受信する。変換器およびインターフェース・コンポーネントの内一方または双方が、自然温度信号を標準的温度信号に変換する。インターフェース・ユニットは、標準的生命兆候モニタまたは標準的体温管理システムのような、標準的温度信号を認識することができる標準的温度信号受信装置に結合されるように構成することができる。また、非侵襲的に温度を監視する方法も開示する。この方法は、自然温度信号を受信するステップと、自然温度信号を標準的温度信号に変換するステップとを含む。【選択図】図１【特許請求の範囲】
【請求項１】
対象の体内の温度を非侵襲的に測定するシステムであって、
対象の体内のある量の組織における１つ以上の位置から温度を示す放出を受信する変換器と、
前記ある量の組織に隣接する前記対象の皮膚上において温度を判定し、基準温度信号を供給する基準温度センサと、
前記変換器から１つ以上の温度信号を受信し、各温度信号を対応する電圧に変換する放射計と、
インターフェース・ユニットであって、
各電圧を変換温度信号に変換し、前記基準温度信号を変換温度信号に変換する少なくとも１つの変換器と、
複合温度信号を計算するために、前記変換器からの各変換温度信号を受けて処理する処理エレメントと、
前記複合温度信号を受け、標準的温度信号受信装置によって認識可能な、対応する標準的温度信号を出力する標準化変換器と、
を含む、インターフェースと、
を含む、システム。
【請求項２】
請求項１記載のシステムにおいて、前記変換器が少なくとも１つのマイクロ波アンテナを含む、システム。
【請求項３】
請求項１または請求項２記載のシステムにおいて、前記複合温度信号が、前記ある量の組織にわたる加重平均温度を含む、システム。
【請求項４】
請求項３記載のシステムにおいて、前記ある量の組織がある量の脳組織を含む、システム。
【請求項５】
請求項４記載のシステムにおいて、前記ある量の脳組織が、少なくとも部分的に、個人の頭皮の外表面と、前記頭皮の外表面下における所定の深さによって定められる、システム。
【請求項６】
請求項５記載のシステムにおいて、前記所定の深さが少なくとも５ｍｍである、システム。
【請求項７】
請求項６記載のシステムにおいて、前記所定の深さが少なくとも１ｃｍである、システム。
【請求項８】
請求項７記載のシステムにおいて、前記所定の深さが約２ｃｍである、システム。
【請求項９】
請求項８記載のシステムにおいて、前記所定の深さが少なくとも２ｃｍである、システム。
【請求項１０】
請求項１または請求項２記載のシステムであって、更に、
前記標準的温度信号を前記変換器から前記標準的温度信号受信装置に通信するケーブルを含み、前記ケーブルが、前記標準的温度信号受信装置の温度入力と結合されるように構成された端部を含む、システム。
【請求項１１】
請求項１０記載のシステムにおいて、前記標準的温度信号がサーミスタ型信号を含み、前記ケーブルが前記サーミスタ型信号を前記標準的温度信号受信装置に伝えるように構成される、システム。
【請求項１２】
請求項１または請求項２記載のシステムにおいて、前記放射計が前記インターフェース・ユニットの一部である、システム。
【請求項１３】
対象の体内の温度を非侵襲的に測定するシステムであって、
対象の体内のある量の組織における複数の位置から温度を示す放出を受信する変換器と、
前記ある量の組織に隣接する前記対象の皮膚上において温度を判定し、基準温度信号を供給する基準温度センサと、
前記変換器から複数の温度信号を受信し、前記複数の内各温度信号を対応する電圧に変換する放射計と、
インターフェース・ユニットであって、
各電圧を変換温度信号に変換し、前記基準温度信号を変換温度信号に変換する少なくとも１つの変換器と、
前記量の温度にわたる温度の加重平均温度に対応する複合温度信号を計算し、複合温度信号を出力するために、各変換温度信号を前記変換器から受けて処理する処理エレメントと、
を含む、インターフェース・ユニットと、
を含む、システム。
【請求項１４】
請求項１３記載のシステムにおいて、前記変換器が少なくとも１つのマイクロ波アンテナを含む、システム。
【請求項１５】
請求項１３または請求項１４記載のシステムにおいて、前記複合温度信号が、前記ある量の組織にわたる平均温度を含む、システム。
【請求項１６】
請求項１５記載のシステムにおいて、前記ある量の組織が、ある量の脳組織を含む、システム。
【請求項１７】
請求項１６記載のシステムにおいて、前記ある量の脳組織が、少なくとも部分的に、個人の頭皮の外表面と、前記頭皮の外表面下における所定の深さによって定められる、システム。
【請求項１８】
請求項１７記載のシステムにおいて、前記所定の深さが少なくとも５ｍｍである、システム。
【請求項１９】
請求項１８記載のシステムにおいて、前記所定の深さが少なくとも１ｃｍである、システム。
【請求項２０】
請求項１９記載のシステムにおいて、前記所定の深さが約２ｃｍである、システム。
【請求項２１】
請求項１９記載のシステムにおいて、前記所定の深さが少なくとも２ｃｍである、システム。
【請求項２２】
請求項１３または請求項１４記載のシステムであって、更に、
前記標準的温度信号を前記変換器から標準的温度信号受信装置に通信するケーブルを含み、前記ケーブルが、前記標準的温度信号受信装置の温度入力と結合されるように構成された端部を含む、システム。
【請求項２３】
請求項２２記載のシステムにおいて、前記標準的温度信号がサーミスタ型信号を含み、前記ケーブルが前記サーミスタ型信号を前記標準的温度信号受信装置に伝えるように構成される、システム。
【請求項２４】
請求項１３または請求項１４記載のシステムにおいて、前記放射計が前記インターフェース・ユニットの一部である、システム。
【請求項２５】
体内の温度を非侵襲的に測定するシステムであって、
変換器であって、
対象の体内において生成された、前記対象の体上における位置からの内部温度信号と、
前記体の外部から接近可能な位置からの基準温度信号と、
を受信する変換器と、
内部温度信号および前記基準温度信号を、標準的生命兆候モニタによって読み取り可能な標準的温度信号に変換するインターフェース・ユニットと、
を含む、システム。
【請求項２６】
請求項２５記載のシステムであって、更に、
前記標準的温度信号を前記インターフェース・ユニットから前記標準的生命兆候モニタに通信するケーブルを含み、前記ケーブルが、前記標準的生命兆候モニタの温度入力ポートと結合されるように構成された端部を含む、システム。
【請求項２７】
請求項２６記載のシステムであって、更に、
前記標準的生命兆候モニタを含む、システム。
【請求項２８】
請求項２５から２７のいずれか１項記載のシステムであって、更に、
前記変換器と前記インターフェース・ユニットとの間にある放射計を含む、システム。
【請求項２９】
対象の体内の温度を非侵襲的に監視する変換器と標準的温度信号受信装置との間において通信を行うためのインターフェース・ユニットであって、
各電圧を変換温度信号に変換し、前記基準温度信号を変換基準信号に変換する変換器と、
前記量の温度にわたる加重平均温度に対応する複合温度信号を計算し、複合温度信号を出力するために、前記変換器から各変換温度信号を受けて処理する処理エレメントと、
前記複合温度信号を受け、標準的温度信号受信装置によって認識可能な、対応する標準的温度信号を出力する標準化変換器と、
を含む、インターフェース・ユニット。
【請求項３０】
請求項２９記載のインターフェース・ユニットであって、更に、
変換器から複数の温度信号を受信し、前記複数の内各温度信号を対応する電圧に変換する放射計を含む、インターフェース・ユニット。  
【請求項３１】
請求項３０記載のインターフェース・ユニットにおいて、前記標準化変換器が少なくとも１つのディジタル・ポテンショメータを含む、インターフェース・ユニット。
【請求項３２】
対象の体内の温度を非侵襲的に監視する方法であって、
対象の体の外側にある位置から、前記対象の体内から発した自然温度信号を受信するステップと、
前記自然温度信号を、標準的温度信号受信装置によって認識可能な標準的温度信号に変換するステップと、
を含む、方法。
【請求項３３】
請求項３２記載の方法において、前記変換するステップが、自然温度信号から複合標準的温度信号を生成するステップを含む、方法。
【請求項３４】
請求項３２または請求項３３記載の方法であって、更に、
前記自然温度信号を前記標準的温度信号受信装置に送信するステップと、
前記自然温度信号に対応する温度を表示するステップと、
を含む、方法。
【発明の詳細な説明】
【技術分野】
【０００１】
関連出願に対する相互引用
"SYSTEMS AND METHODS OF NON-INVASIVELY DETERMINING INTERNAL TEMPERATURE"（非侵襲的に内部温度を判定するシステムおよび方法）と題する米国仮特許出願第６１／８８３，９９０号（’９９０仮出願）の出願日である２０１３年９月２８日に対して、優先権の権利を主張する。ここで引用したことにより、’９９０仮出願の開示内容全体は本願にも含まれるものとする。
【０００２】
本開示は、一般的には、対象の体内の温度を非侵襲的に監視するシステムおよび方法に関し、更に特定すれば、脳温度の高精度測定値を非侵襲的に得るためのシステムおよび方法に関する。
【発明の概要】
【０００３】
１つの形態では、対象の体内の温度、または対象の体内の選択した位置における内部温度を非侵襲的に監視するシステムについて開示する。このようなシステムは、変換器およびインターフェース・ユニットを含む。
【０００４】
非侵襲的温度監視システムの変換器は、対象の体の内側にある組織から発する電磁放射を受信するように構成される。対象の体内の組織から発する少なくとも一部の電磁放射が、この電磁放射が発する位置における温度の指示を与える。したがって、対象の体内の温度に対応する電磁放射は、ここでは「自然温度信号」と呼ぶこともできる。ある実施形態では、変換器は、近隣組織から発する自然温度信号を受信するために、対象の体の外部から接近できる表面に向けて（例えば、皮膚上等）位置付けられるように構成することができる。
【０００５】
非侵襲的温度監視システムのインターフェース・ユニットは、変換器によって受信された自然温度信号を処理して標準化された温度信号を供給するように構成される。この標準化された温度信号は、ここでは「標準的温度信号」とも呼ばれ、標準的生命兆候モニタ（例えば、ベッドサイド・モニタ等）、または患者モニタによって認識することができる。具体的な実施形態では、各標準化温度信号はサーミスタ型信号を含むことができる。つまり、インターフェース・ユニットは、自然温度信号を標準化温度信号に変換するように構成される。標準化温度信号を出力することによって、インターフェース・ユニットは、非侵襲的温度監視変換器と、標準的生命兆候モニタ（例えば、温度、血圧、血液酸化、心律動等のようなパラメータを表示するモニタ）、標準的体温管理システム（例えば、臨床低体温症システム(clinical hypothermia system)等）等のような装置との間における通信を可能にすることができる。この装置は、標準化温度信号の形態（例えば、標準的電気抵抗等）で温度入力を受信するように構成される。
【０００６】
ある実施形態では、自然温度信号から標準化温度信号への変換が、信頼性のある基準温度の考察を伴うこともできる。基準温度は、基準温度センサによって得ることができる。基準温度センサは、変換器の一部またはインターフェース・ユニットの一部を含むことができ、あるいは独立したエレメントであってもよい。具体的な実施形態では、基準温度センサは、信頼性のある基準温度信号を、対象の体の外部から接近可能な位置から得るように構成することができ、インターフェース・ユニットは、基準温度信号を受信し、対応する標準化温度信号を供給するときにこれを考察することができる。
【０００７】
また、非侵襲的温度監視システムは、ベッドサイド・モニタのような標準的生命兆候モニタ、およびインターフェース・ユニットと標準的生命兆候モニタとの間に通信リンクを含むこともできる。通信リンクは、標準化された温度信号をインターフェース・ユニットから標準的生命兆候モニタに通信することを可能にする。具体的な実施形態では、通信リンクは、サーミスタ・コネクタを含むケーブルを含むことができる。サーミスタ・コネクタは、標準的生命兆候モニタの標準的サーミスタ入力と結合する。
【０００８】
対象の体内の内部温度を非侵襲的に監視する方法では、外部から接近できない対象の体内の位置における組織から発する１つ以上の自然温度信号を、対象の体から容易に接近できる位置において受信することができる（例えば、外科手術、カテーテル法等を必要としない）。加えて、自然温度信号を処理して、１つ以上の標準化された温度信号を供給することもできる。各標準化温度信号は、標準的生命兆候モニタに通信することができ、次いで標準的生命兆候モニタは、対象の体内の対象位置（例えば、脳等）における温度のユーザ認識可能出力を供給することができる。
【０００９】
開示する主題の他の形態、ならびに種々の形態の特徴および利点は、以下に続く説明、添付図面、および添付する特許請求の範囲の検討により、当業者には明白になるであろう。
【図面の簡単な説明】
【００１０】
【図１】図１は、対象の体内の位置における温度を非侵襲的に監視するシステムの実施形態の模式図である。
【図２】図２は、図１によって模式的に表されたシステムの実施形態の変換器、およびこの変換器と対象の体内の対象位置との間の相互作用の実施形態を示す。
【図３】図３は、図１によって模式的に表されたシステムの実施形態のインターフェース・ユニットの実施形態を示す。
【図４】図４は、インターフェース・ユニットの処理エレメントが、電磁自然温度信号の電気的表現を、標準的生命兆候モニタと互換性がある標準化された温度信号に変換するためのプログラミングを実行するときに行われるプロセス・フローの実施形態を示すフロー・チャートである。
【発明を実施するための形態】
【００１１】
図１において、対象の体内の温度を非侵襲的に測定するシステム１０の実施形態が示されている。システム１０は、変換器２０、放射計４０、およびインターフェース・ユニット６０を含み、任意に温度信号受信装置８０を含む。温度信号受信装置８０は、標準的生命兆候モニタ（図１によって示されるような）、体温管理システム（例えば、臨床低体温症システム等）等のような、標準的温度信号（例えば、標準的電気抵抗等）を受信する。
【００１２】
変換器２０は、対象の体Ｂの内側にある組織から発する電磁放射を受信するように構成される。図２に示すように、変換器２０は、１つ以上のアンテナ２４を支える筐体２２を含む。筐体２２は、対象の体Ｂ内の対象位置Ｌから発する自然温度信号ＳＮを受信する位置に位置付けられるように構成することができる。ある実施形態では、筐体２２は、対象の体Ｂの外側から容易に接近できる対象の体Ｂの表面に向かって配されるように構成されてもよい。具体的な実施形態では、筐体２２は、対象の頭部の一部に隣接して変換器２０を位置付けるように構成されてもよい。
【００１３】
変換器２０が対象位置Ｌに対して適正に位置付けられると、変換器２０の各アンテナ２４は、対象位置Ｌから発する自然温度信号ＳＮを受信することができる。種々の実施形態では、各アンテナ２４は、電磁スペクトルのいわゆる「マイクロ波」部分における電磁放射を含む自然温度信号ＳＮを受信するように構成されるとよい。限定ではなく、各アンテナ２４は、特定の周波数の自然温度信号ＳＮ、またはある周波数帯域幅内の自然温度信号ＳＮを受信するように構成することができる。具体的な実施形態では、変換器２０のアンテナ２４によって受信することができるマイクロ波放射線の周波数範囲は、約４ＧＨｚ±２００ＭＨｚの範囲内に周波数を有する自然温度信号ＳＮを含めばよい。このような変換器２０およびアンテナ２４の具体的な実施形態は、Meridian Medical Systems, LLCのＰＣＴ国際公開ＷＯ２０１３／０９００４７Ａ２によって開示されている。これは、２０１３年６月２０日に公開された。
【００１４】
自然温度信号ＳＮを受信するように構成されることに加えて、変換器２０の各アンテナ２４は、電磁的である自然温度信号ＳＮを、電気信号である電圧に変換するように構成される。
【００１５】
任意に、システム１０は、サーミスタのような、信頼性のある（例えば、高精度等）温度測定値を与える基準温度センサ２８も含んでもよい。ある実施形態では、基準温度センサ２８は、基準温度測定値が得られるべき位置（例えば、皮膚等）に近接して、または接触してそれ自体を配するように位置付けられてもよい。基準温度センサ２８は、既知のタイプの基準温度信号ＳＲを生成するように構成することができる。
【００１６】
１つ以上のケーブル３０は、変換器２０から放射計４０まで延びることができる。ケーブル３０は、変換器３０から放射計４０に電圧の通信を可能にするのでもよい。基準温度センサ２８が変換器２０の一部である実施形態では、ケーブル３０は、１つ以上の基準温度信号ＳＲを変換器２０から伝える(convey)ように構成されてもよい。
【００１７】
対象の体Ｂ内の温度を非侵襲的に測定するシステム１０の放射計４０（図１および図２）は、変換器２０から受信した電圧を測定するように構成される。放射計４０は、電圧を中間信号ＳＩに変換し、次いで中間信号をインターフェース・ユニット６０に伝える。ある実施形態では、放射計４０は、それによって生成される中間信号ＳＩの品質を改善する１つ以上のコンポーネントと共に機能してもよい（例えば、着信信号を増幅する、ノイズを低減する、濾波する、または排除する等、その他）。
【００１８】
図示する実施形態では、中間信号ＳＩは、インターフェース・ユニット６０を放射計４０に電気的に結合するケーブル５０によって、放射計４０から別のインターフェース・ユニット６０に送られる。あるいは、放射計４０がインターフェース・ユニットの一部を含むのでもよい（例えば、放射計４０が、図３を参照して図示および説明するコンポーネントのような、インターフェース・ユニット６０のコンポーネント等と一緒に収容されてもよい）。
【００１９】
インターフェース・ユニット６０は、放射計４０から受信した各中間信号ＳＩを変換し(convert or translate)、最終的に、変換器２０のアンテナ２４から受信した各自然温度信号ＳＮを、標準化された温度信号Ｓｓに変換するように構成される。これより図３を参照すると、具体的な実施形態では、インターフェース・ユニット６０は、信号変換器６２（例えば、アナログ／ディジタル）（Ａ／Ｄ）変換器等）、処理エレメント６４、１つ以上の標準化変換器６６を含む。
【００２０】
インターフェース・ユニット６０の変換器６１は、各中間信号ＳＩを放射計４０から受信し、この信号を、インターフェース・ユニット６０の他のコンポーネントによって処理できる信号タイプに変換する。変換器６２がＡ／Ｄ変換器を含む実施形態では、これは電圧をディジタル温度信号に変換する。加えて、システム１０が基準温度センサ２８を含む実施形態では、変換器６２は各基準温度信号ＳＲを受信し、これを所望の信号タイプの基準信号に変換することもできる（例えば、変換器６２がＡ／Ｄ変換器を含む実施形態では、ディジタル基準信号に変換する等）。
【００２１】
変換器６２によって出力された温度信号および任意の基準信号（ここでは纏めて「変換信号」と呼ぶ）は、処理エレメント６４によって受け取られ、処理することができる。処理エレメント６４は、それが受けるディジタル信号に基づいて、複合温度信号を計算し出力するようにプログラミングすることができる。
【００２２】
加えて図４も参照すると、インターフェース・ユニット６０の処理エレメント６４によって実行されるプログラミングによって制御される処理フローの実施形態が示されている。図４の参照番号１００において、処理エレメント６４は変換信号を変換器６２から、そして任意に基準温度センサ２８から受ける。参照番号１０２において、処理エレメント６４は、対象位置Ｌ内の異なる領域からの自然温度信号ＳＮを使用して、対象位置Ｌ全域にわたる複合（例えば、平均、加重平均等）温度を計算する。図４の参照番号１０４において、処理エレメント６４は、対象の体Ｂ（図２）における対象位置Ｌ（例えば、ある量の組織(a volume of tissue)等）内の１つ以上の領域（例えば、深さ等）に対応する温度を判定する。参照番号１０６において、処理エレメントは、参照番号１０４において行われた複合温度計算に基づいて、１つ以上の対象位置Ｌに対応する複合温度信号を出力する。
【００２３】
処理エレメント６４が複合温度信号を出力するとき、この信号はディジタル信号である。処理エレメント６４は、複合温度信号を１つ以上の標準化変換器６６に送信する。各標準化変換器６６は、複合温度信号を、標準化温度信号Ｓｓ（図１）に変換する。標準化温度信号Ｓｓは、標準的抵抗のような、従来のサーミスタによって生成される温度信号に似たアナログ信号を含むことができる。即ち、標準化温度信号Ｓｓは、サーミスタ型信号であってもよい。つまり、標準化温度信号Ｓｓは、標準的生命兆候モニタ（図１）に認識可能であればよい。ある実施形態では、各標準化変換器６６がディジタル・ポテンショメータを含んでもよい。
【００２４】
再び図１を参照すると、システム１０は、インターフェース・ユニット６０と温度信号受信装置８０との間で接続を行うケーブル７０を含むことができる。温度信号受信装置８０は、標準的生命兆候モニタ、体温管理システム等のように、標準的温度信号を受信する。ケーブル７０は、その一端にコネクタ７２を含むことができる。インターフェース・ユニット６０がサーミスタの出力に似た標準化温度信号Ｓｓを出力する実施形態では、ケーブル７０の端部にあるコネクタが標準的サーミスタ型コネクタを含むのでもよい。コネクタ７２は、温度入力８２（例えば、温度信号受信装置８０のサーミスタ型コネクタ等のための入力）と結合するように構成されてもよい。具体的であるが非限定的な実施形態では、温度入力８２は、ＹＳＩ４００−シリーズまたは同様のサーミスタのための入力を含んでもよい。つまり、ケーブル７０のコネクタ７２は、相補型ＹＳＩ４００シリーズまたは同様のサーミスタ・コネクタであってもよい。このように、ケーブル７０およびそのコネクタ７２は、温度入力８２を介した、標準化温度信号Ｓｓのインターフェース・ユニット６０から温度信号受信装置８０までの通信を可能にすればよい。標準化温度信号Ｓｓは温度入力８２を介して温度信号受信装置８０によって受信されるので、温度信号受信装置８０は、この信号を認識し使用することができる。一例として、温度信号受信装置８０が標準的生命兆候モニタを含む実施形態では、専用温度ディスプレイ・エレメント８４を有する温度信号受信装置８０のディスプレイ・エレメントが、標準化温度信号Ｓｓに対応する温度を表示するように構成されてもよい。
【００２５】
対象の体内の温度を非侵襲的に監視するシステム１０の温度信号受信装置８０として採用することができる標準的生命兆候モニタの種々の実施形態には、GE Healthcare社のDatex-Ohmeda部門から入手可能なＳ／５（商標）シリーズの生命兆候モニタが含まれるがこれに限定されるのではない。システム１０の温度信号受信装置８０として採用することができる温度センサ管理システムのいくつかの非限定的な例には、コロラド州 LouisvilleのMedivance, Inc., から入手可能なARCTIC SUN（登録商標）5000温度管理システム、マサチューセッツ州ChelmsfordのZoll Medical Corporationから入手可能なTHERMOGARD XP（登録商標）熱規制システム(thermal regulation system)、およびオランダ国BestのPhilips Healthcare社から入手可能なInnerCool RTx血管内システムが含まれる。
【００２６】
再度図２を参照すると、対象の体内において非侵襲的に内部温度を監視する方法は、対象の体Ｂ内から発する１つ以上の自然温度信号ＳＮを監視するステップを含むことができる。このような監視は、対象の体Ｂの外側に位置付けられた変換器２０を使用して行う、または実施することができる。変換器２０は、対象の体Ｂ内の対象位置Ｌからの自然温度信号ＳＮが検出されそうな位置に位置付けられればよい。図２によって示される実施形態では、変換器２０は、対象の脳の一部の温度の監視を容易にするために、対象の頭部に向けて、対象の頭蓋骨の一部の近くに位置付けられる。
【００２７】
図２が示すように、自然温度信号ＳＮは、対象位置Ｌにおける領域全域にわたる種々の位置から放射する。温度は対象位置Ｌ内の異なる位置において異なることがあるので、対象位置Ｌ全域にわたる複合（例えば、平均、加重平均等）温度を判定するときは、対象位置Ｌの全域にわたる温度を考慮するとよい。
【００２８】
図２によって示される具体的であるが非限定的な実施形態では、対象位置Ｌは対象の頭部の一部を含むことができる。限定ではなく、対象位置Ｌは、対象の頭部、即ち、頭皮上の皮膚の外表面における外周から、対象の頭部上の皮膚の表面下の内部位置まで達してもよい。ある実施形態では、外周は皮膚の表面を含んでもよい。他の実施形態では、外周は、対象の頭蓋骨の内面にあってもまたは直接隣接してもよく、つまり皮膚および頭蓋骨を省略してもよい。内部位置は、対象の頭部上の皮膚の外表面下少なくとも５ｍｍ（即ち、少なくとも５ｍｍの深さ）、少なくとも１ｃｍの深さ、少なくとも１．５ｃｍの深さ、約２ｃｍの深さ、または少なくとも２ｃｍの深さにあってもよい。自然温度信号ＳＮの周波数は、自然温度信号ＳＮが発した深さに対応し、周波数が低い信号程、深い深度における発信に対応する。つまり、対象位置Ｌは、所定の周波数範囲内において自然温度信号ＳＮを選択することによって定められてもよい（例えば、アンテナ（１つまたは複数）の構成によって、フィルタ等を使用して、または以上の任意の組み合わせによって）。
【００２９】
一旦自然温度信号ＳＮが検出されたなら、これらは、本開示の教示にしたがって処理され、標準化温度信号Ｓｓを生成し、標準化温度信号Ｓｓに対応する温度値を表示することができる標準的生命兆候モニタ（図１）のような温度信号受信装置８０に送信することができる。あるいは、対象の体の一部の温度を変更するまたは維持することができるアクションの基準として標準化温度信号Ｓｓを使用し、更に任意に標準化温度信号Ｓｓに対応する温度値を表示する体温管理システムのような、温度信号受信装置８０に標準化温度信号Ｓｓを送信することができる。
【００３０】
以上の説明では多くの詳細について説明したが、これらは、請求項のいずれのものの範囲も限定するように解釈してはならず、単に開示した主題のエレメントまたは構造のいくつかの実施形態および変形の例示を示すに過ぎないと解釈してしかるべきである。請求項の内いずれのものの主旨や範囲からも逸脱しない、開示した主題の他の実施形態も考案することができよう。異なる実施形態からの特徴を組み合わせて採用してもよい。したがって、各請求項の範囲は、その平文の文言およびその法的均等物によってのみ限定されるものとする。
【図１】
2016536096.tif 000002
【図２】
2016536096.tif 000003
【図３】
2016536096.tif 000004
【図４】
2016536096.tif 000005
【国際調査報告】
2016536096.tif 000006
2016536096.tif 000007